(57)【要約】【課題】被保持材の荷重に拘わらず、確実に、これを保持することができる保持ホルダーを提供する。【解決手段】  板状の表面部１と、板状の裏面部２とが、直線状の中間ライン３を通して接続されて構成された合成樹脂製の保持ホルダーＨＤであって、表面部１に突出片６が設けられる一方、裏面部２に貫通穴８が設けられ、突出片６が、被保持部材１０を通過した後、貫通穴に嵌合することで、被保持部材１０を保持する。【選択図】図１
0003200126.tif 000002
【実用新案登録請求の範囲】
【請求項１】
板状の表面部と、板状の裏面部とが、直線状の中間ラインを通して接続されて構成された合成樹脂製の保持ホルダーであって、
表面部に第１係合部が設けられる一方、裏面部に第２係合部が設けられ、
係合部の一方が、被保持部材を通過した後、係合部の他方に嵌合するか、或いは、
第１係合部と、被保持部材と、第２係合部とを貫通する他の部材が、係合部の一方に嵌合することで、被保持部材を保持するよう構成されていることを特徴とする保持ホルダー。
【請求項２】
前記係合部の一方は、表面部又は裏面部の一方側に形成された突出片であり、
表面部と裏面部の他方側には、他方の係合部として貫通穴が形成されている請求項１に記載の保持ホルダー。
【請求項３】
前記表面部を、透光性を発揮する板厚に形成するか、表面部の中央位置に透光性を有する表示窓を開口させることで、表面部を通して、被保持材に描かれた文字や模様が見えるよう構成されている請求項１又は２に記載の保持ホルダー。
【請求項４】
前記２つの係合部は、貫通穴として形成され、
前記他の部材として、径方向に伸縮可能で鉤状に形成された先端部を有する保持軸が使用される請求項１〜３の何れかに記載の保持ホルダー。
【請求項５】
中間ラインに沿って、表面部及び／又は裏面部を事後的に折り返すか、
予め、折返し形状に一体成形されている請求項１〜４の何れかに記載の保持ホルダー。
【考案の詳細な説明】
【技術分野】
【０００１】
本考案は、カレンダーなどの紙製のシート材や、ホワイトボードなどの薄板材を保持する保持ホルダーに関し、シート材や薄板材は、典型的には、吊り下げ状態で保持される。
【背景技術】
【０００２】
数枚の紙材を吊り下げ保持する保持ホルダーとしては、以下に列記するように、各種の構成が知られている（特許文献１〜特許文献７）。
【先行技術文献】
【特許文献】
【０００３】
【特許文献１】特開２０１１−０１９７５２号公報
【特許文献２】特開２００４−３２２３５５号公報
【特許文献３】特開２００３−０３８３１４号公報
【特許文献４】実開平０６−０６４９２３号公報
【特許文献５】実開平０６−００７９５９号公報
【特許文献６】実開平０１−１２５６８８号公報
【特許文献７】実登３０１７８５６号公報
【考案の概要】
【考案が解決しようとする課題】
【０００４】
しかし、プラスチック製のホルダーは、安価軽量である反面、保持強度に欠けるので、ある程度の荷重を有する被保持材を吊り下げると、落下してしまい確実に保持することはできないという問題がある。
【０００５】
一方、金属製のホルダーは、保持強度に優れるものの簡易性に欠け、安価に製造することができないという問題がある。
【０００６】
本考案は、上記の課題に鑑みてなされたものであって、安価なコストで製造でき、被保持材の荷重に拘わらず、確実に、これを保持することができる保持ホルダーを提供することを目的とする。
【課題を解決するための手段】
【０００７】
上記の目的を達成するため、本考案は、板状の表面部と、板状の裏面部とが、直線状の中間ラインを通して接続されて構成された合成樹脂製の保持ホルダーであって、表面部に第１係合部が設けられる一方、裏面部に第２係合部が設けられ、係合部の一方が、被保持部材を通過した後、係合部の他方に嵌合するか、或いは、第１係合部と、被保持部材と、第２係合部とを貫通する他の部材が、係合部の一方に嵌合することで、被保持部材を保持するよう構成されている。
【０００８】
好ましくは、前記係合部の一方は、表面部又は裏面部の一方側に形成された突出片であり、表面部と裏面部の他方側には、他方の係合部として貫通穴が形成されている。
【０００９】
また、前記表面部を、透光性を発揮する板厚に形成するか、表面部の中央位置に透光性を有する表示窓を開口させることで、表面部を通して、被保持材に描かれた文字や模様が見えるよう構成されているのが好ましい。
【００１０】
前記２つの係合部は、貫通穴として形成され、前記他の部材として、径方向に伸縮可能で鉤状に形成された先端部を有する保持軸が使用されるのも好適である。
【００１１】
また、中間ラインに沿って、表面部及び／又は裏面部を事後的に折り返すか、予め、折返し形状に一体成形されている構成が典型的である。成形法としては、押出し成形又は射出成形が採られる。
【考案の効果】
【００１２】
上記した本考案によれば、安価なコストで製造でき、被保持材の荷重に拘わらず確実に、これを保持することができる保持ホルダーを実現できる。
【図面の簡単な説明】
【００１３】
【図１】第１実施例の保持ホルダーについて、展開状態と完成状態を示す図面である。
【図２】第１実施例ないし第３実施例の保持ホルダーを示す斜視図である。
【図３】実施例の保持ホルダーの使用例を示す図面である。
【図４】実施例の保持ホルダーの別の使用例を示す図面である。
【図５】実施例の保持ホルダーの更に別の使用例を示す図面である。
【考案を実施するための形態】
【００１４】
以下、実施例に基づいて本考案を更に詳細に説明する。図１は、第１実施例に係る保持ホルダーＨＤを示す図面である。ここで、図１（ａ）は、展開状態の保持ホルダーＨＤを、外部への露出側から見た平面図であり、図１（ｂ）は、その背面図である。
【００１５】
また、図１（ｃ）は、組み立て完成状態の保持ホルダーＨＤの正面図であり、図１（ｄ）は、保持ホルダーＨＤの一部を示す斜視図である。なお、図１（ｅ）〜図１（ｇ）は、各々、図１（ａ）〜図１（ｃ）の側面図である。
【００１６】
図１（ａ）や図１（ｂ）に現れる通り、この保持ホルダーＨＤは、半透明の合成樹脂を使用した一体成型品であり、矩形薄板状に形成された表面部１と、矩形薄板状に形成された裏面部２とが、直線状の薄肉部３を通して接続されて構成されている。図１（ｅ）の右側面図に現れる通り、薄肉部３は、直線溝を露出側（図示左側）から凹状に切欠くことで、真っ直ぐな折り曲げライン３を形成している。
【００１７】
また、図１（ａ）や図１（ｂ）には、吊下げ紐４が図示されており、この吊下げ紐４は、折り曲げライン（薄肉部）３の非露出面に沿って配置される（例えば、図１（ｅ）参照）。
【００１８】
図１（ａ）や図１（ｂ）に示す通り、表面部１には、その中央位置を開口させて表示窓５が形成され、その両側には、一対の突出片６，６が、非露出側に向けて突出形成されている。図１（ｄ）に拡大状態を示す通り、突出片６は、詳細には、基端側の円柱部６ａと、先端側の円錐台６ｂと、が連設されて構成されている。
【００１９】
ここで、円錐台６ｂには、円柱部６ａの軸方向に、所定深さの切欠き６ｃが形成されることで、径方向に縮径可能な鉤状のフック部ＨＫを形成している。
【００２０】
一方、裏面部２には、その中央位置に、半円状の装着片７が切起し可能に形成されている。そして、装着片７には、取付穴ＨＯが形成されている。したがって、吊下げ紐４は、必ずしも、必須ではなく、取付穴ＨＯを活用する場合は、吊下げ紐４が不要となる。
【００２１】
何れにしても、裏面部２の左右端部には、表面部１の突出片６に対応して、一対の係合穴８が開口されている。ここで、係合穴８の口径は、突出片６の円筒軸６ａの外径とほぼ同じであり、フック部ＨＫ（円錐台６ｂ）の最大径より小さく設定されている。
【００２２】
このような構成を有する保持ホルダーＨＤは、図１（ｆ）の矢印で示す通り、折り曲げライン３を回転中心にして、カレンダー用紙などの被保持部材１０の上端を内包した状態で、表面部１と裏面部２を折り重ねて完成状態となる。なお、図１（ａ）や図１（ｂ）では、被保持部材１０の記載を省略しているが、被保持部材１０の上端には、係合穴８に対応して、係合穴８や、突出片６の円錐台６ｂよりやや大径で、左右方向に広がる長穴が予め形成されている。
【００２３】
また、被保持部材１０の上端には、表示窓５の位置に対応して、適宜な文字や模様が印刷した表題欄や広告欄などが設けられている。そのため、被保持部材１０の上端を、保持ホルダーＨＤで保持した完成状態では、被保持部材１０に印刷された文字や模様が、表示窓５を通して現れることになる（図１（ｃ）参照）。
【００２４】
したがって、例えば、カレンダーなどの被保持部材１０を、ノベルティ商品として一般客に提供するような場合には、広告欄に企業名や電話番号などを記載しておくことで、表示窓５を通して広告効果を発揮することができる。
【００２５】
ところで、本実施例の場合、係合穴８の口径は、円錐台６ｂの最大径より小さいが、切欠き６ｃを設けることで径方向に収縮可能に構成されている。そのため、被保持部材１０の上端の表題欄や広告欄を、表面部１と裏面部２に挟み込んだ状態で、突出片６を係合穴８の中に突入させることができ、係合穴８に突入したフック部ＨＫは、その収縮状態が解除されることで、突出片６が係合穴８に確実に嵌合されることになる。
【００２６】
このように、この保持ホルダーＨＤは、一度、組み立てると展開状態に戻すことはできず、ノベルティ商品として受け取った一般客が、被保持部材１０の上端部（表題欄や広告欄）を切除して再利用するようなことはできず、ノベルティ商品としての機能が損なわれることがない。
【００２７】
以上、第１実施例について説明したが、具体的な構成は、適宜に変更可能である。例えば、表示窓５は、必ずしも、合成樹脂材を切除した開口窓である必要はなく、半透明の合成樹脂材を薄肉形成して透光性を高めた表示窓５としても良い。また、保持ホルダーＨＤをノベルティ商品に使用するのではなく、一般商品としてのカレンダーやホワイトボードに使用する場合には、表示窓５を設けなくても良い。
【００２８】
具体的に変形例を例示すると、図２（ａ）に示す第１実施例に代えて、図２（ｂ）に示す第２実施例の構成を採るもの好適である。
【００２９】
第２実施例は、突出片６を設けた矩形状の第１薄板部２１と、係合穴８を設けた矩形状の第２薄板部２２と、第１薄板部２１と第２薄板部２２を接続する直線状の薄肉部２３と、表面部１及び裏面部２に直交して薄肉部２３に連設された装着部２４とで、構成されている。なお、装着部２４には取付穴ＨＯが形成されている。
【００３０】
第２実施例において、第１薄板部２１と第２薄板部２２は、第１実施例の表面部１と裏面部２に対応する。そして、第２実施例の薄肉部２３は、直線溝を非露出側（図示上側）から凹状に切欠いて折り曲げライン２３を形成している。なお、突出片６と係合穴８の作用及び効果は、第１実施例の場合と同一であり、図示の構成に捉われず、適宜に変更可能である。
【００３１】
組立完成時の操作は、第１実施例とほぼ同一であり、第２実施例でも、折り曲げライン２３を回転中心にして、カレンダー用紙などの被保持部材１０の上端を内包した状態で、第１薄板部２１と第２薄板部２２を折り重ねて完成状態となる。そして、この完成状態では、第１薄板部２１及び第２薄板部２２が、装着部２４とほぼ面一となる。
【００３２】
第２実施例では、一体成形されたプラスチック部材について、薄肉部２３を中心に、第１薄板部２１と第２薄板部２２を折り重ねる必要があり、この意味では第１実施例と同じである。但し、特に、この構成に限定される必要はなく、例えば図２（ｃ）の第３実施例に示すように、折り重ね形状で一体成形される保持ホルダーＨＤであっても良い。
【００３３】
この第３実施例は、矩形状の第１薄板部３１と、矩形状の第２薄板部３２と、装着部３４とで、全体として略Ｙ字状に形成されている。そして、第１薄板部３１と、第２薄板部３２には、互いに対応する位置に係合穴８が形成されている。
【００３４】
この第３実施例では、突出片６を設けない代わりに、突出片６と同様に機能して、第１薄板部３１と第２薄板部３２と被保持部材１０とを一体化するための装着部材４０が別途用意される。装着部材４０は、突出片６とほぼ同様の構成を有し、円盤状の頭部４１と、円柱部４２と、円錐台４３と、が連設されて構成されている。そして、円錐台４３には、所定深さの切欠きＣＴが形成されることで、径方向に縮径可能に構成されている。
【００３５】
保持方法は、第１実施例や第２実施例とほぼ同じであり、第１薄板部３１と第２薄板部３２の間に、カレンダー用紙などの被保持部材１０の上端を配置し、被保持部材１０を貫通させて装着部材４０を押し込むことで、被保持部材１０と保持ホルダーＨＤが一体化される。
【００３６】
なお、装着部材４０の形状は適宜に変更可能であり、図２（ｄ）に示す形状のものであっても良い。
【００３７】
続いて、以上のような構成を有する第１実施例〜第３実施例の保持ホルダーＨＤの使用例を説明する。
【００３８】
図３（ａ）と図３（ｂ）は、第１実施例と第２実施例についての使用状態を示す図面であり、各々、カレンダーを吊り下げ保持している。特に限定されるものではないが、図３（ａ）は、ノベルティ商品を例示し、図３（ｂ）は、一般市販品を例示している。
【００３９】
図４は、第１実施例の別の使用例を例示したものであり、カレンダーを設けたホワイトボードを吊下げ保持する場合（図４（ａ））、ホワイトボードにポケットを設けた場合（図４（ｂ））、保持ホルダーＨＤの裏面に磁石板を貼着することで冷蔵庫などに保持する場合（図４（ｃ）図４（ｄ））を示している。
【００４０】
なお、保持ホルダーＨＤの表面又は、被保持部材の上端に温度計を貼り付けるもの好適であり（図４（ｅ））、保持ホルダーＨＤで卓上カレンダーの上端を保持するのも好ましい（図４（ｆ））。
【００４１】
一方、図５は、第２実施例と第３実施例の使用例を例示したものであり、カレンダーを設けたホワイトボード（図５（ａ））、ポケットを設けたホワイトボード（図５（ｂ））、磁石板を貼着した保持ホルダーＨＤ（図５（ｃ）図５（ｄ））、保持ホルダーＨＤで保持された卓上カレンダー（図５（ｆ））を示している。この場合も、保持ホルダーＨＤの表面又は、被保持部材の上端に温度計を貼り付けるもの好適である（図５（ｅ）参照）。
【００４２】
以上、本考案の実施例について具体的に説明したが、具体的な記載内容は特に本考案を限定する趣旨ではなく、適宜に変更可能である。例えば、被保持部材を吊下げから保持することに限定されず、例えば、卓上カレンダーの上端を把持するのも好適である（図４（ｅ）参照）。この場合、表示窓を設ければ、表示窓を有効な広告宣伝欄として活用することができる。
【符号の説明】
【００４３】
１  表面部
２  裏面部
３  中間ライン（薄板部）
ＨＤ  保持ホルダー
６  係合部（突出片）
８  係合部（係合穴）
【図２】
0003200126.tif 000003
【図１】
0003200126.tif 000004
【図３】
0003200126.tif 000005
【図４】
0003200126.tif 000006
【図５】
0003200126.tif 000007